【手続補正書】
【提出日】平成15年8月19日(2003.8.19)
【手続補正１】
【補正対象書類名】明細書
【補正対象項目名】全文
【補正方法】変更
【補正の内容】
【発明の名称】メニュー操作装置
【特許請求の範囲】
【請求項１】方向性を示す操作用可動部材を有するリモコン装置と、メニュー表示を行う表示手段を備えた電子機器とから構成されるメニュー操作装置において、
前記電子機器の表示手段により表示されるメニューが前記操作用可動部材による操作方向とほぼ同一の方向に変化することを特徴とするメニュー操作装置。
【請求項２】前記リモコン装置の操作用可動部材の形状と前記電子機器の表示手段により表示されるメニューの形状とが同様な形状である、若しくは前記操作用可動部材と前記メニューとが同様な形状を含むことを特徴とする請求項１に記載のメニュー操作装置。
【請求項３】前記電子機器の表示手段により表示されるメニューが三次元表示式メニューであることを特徴とする請求項１又は２に記載のメニュー操作装置。
【請求項４】前記リモコン装置の操作用可動部材がダイヤル形状であることを特徴とする請求項１から３のいずれか１項に記載のメニュー操作装置。
【請求項５】方向性を示す操作用可動部材が前記リモコン装置に複数備えられ、
前記表示手段が、各操作用可動部材に対応した複数のメニューを表示することを特徴とする請求項１から４のいずれか１項に記載のメニュー操作装置。
【請求項６】互いにほぼ直交するような配置で二つの操作用可動部材が前記リモコン装置に備えられていて、
前記表示手段が、互いにほぼ直交する配置になるように二つのメニューを表示することを特徴とする請求項５に記載のメニュー操作装置。
【請求項７】互いにほぼ平行するような配置で二つの操作用可動部材が前記リモコン装置に備えられていて、
前記表示手段が、互いにほぼ平行する配置になるように二つのメニューを表示することを特徴とする請求項５に記載のメニュー操作装置。
【請求項８】操作用可動部材を有するリモコン装置と、
選択される項目を複数含むメニューを表示する表示手段を備えた電子機器とから構成されるメニュー操作装置であって、
前記選択される項目を複数含むメニュー自体が前記操作用可動部材の動作と同様の動作を示すように、前記表示手段の表示状態を制御する画面表示制御部が前記電子機器に備えられていることを特徴とするメニュー操作装置。
【請求項９】前記メニューは、三次元表示式メニューであることを特徴とする請求項８に記載のメニュー操作装置。
【請求項１０】前記三次元表示式メニューの形状と前記操作用可動部材とは、同様な形状であることを特徴とする請求項９に記載のメニュー操作装置。
【請求項１１】前記操作用可動部材が回転可能なダイヤル形状であって、
画面表示制御部は、前記選択される項目を複数含むメニュー自体が前記操作用可動部材の回転動作と同様の動作を示すように、前記表示手段の表示状態を制御することを特徴とする請求項１０に記載のメニュー操作装置。
【請求項１２】回転軸が互いにほぼ直交する２つのダイヤル形状の操作用部材が前記リモコン装置に備えられていると共に、
前記表示手段は、回転軸が互いにほぼ直交する２つのダイヤル形状の三次元表示式メニューを表示することを特徴とする請求項１１に記載のメニュー操作装置。
【発明の詳細な説明】
【０００１】
【発明の属する技術分野】
本発明は、例えばインターネット接続機能を有するテレビ受像機などの家電機器に応用され、電子機器をリモコン装置のリモコン操作によりメニュー選択を行うメニュー操作装置に関するものである。
【０００２】
【従来の技術】
最近、テレビにインターネット接続機能を持たせるなど、家電機器でパソコンなどの機能を活用するものが普及しつつある。
【０００３】
家電機器でこのような機能を活用するためにはリモコン装置などによる操作性の改善が望まれるが、現在使用されている操作器具としては上下シフトキー、ジョグダイヤル、シャトルダイヤルなどがある。
【０００４】
また、操作される電子機器側では利用可能な機能を示すためにメニュー表示を行うことが一般的だが、現在使用させているメニューとして一覧表示、プルダウン、階層別表示、三次元表示式メニューなどがある。
【０００５】
ここで、三次元表示式メニューの一例として、特開平４−２１４５９５号公報に、三次元体を二次元の画面上に表示し、その三次元体の各面にメニュー項目を表示して回転させることによって、多数のメニュー項目を表示可能とするメニュー表示が記載されている。
【０００６】
このメニュー表示の詳細について、その概略斜視図である図１０を用いて説明する。図１０に示すように、このメニュー表示は、表示装置１００に、メインメニュー１０１のプルダウンのサブメニューとして三次元体である直方体１０２を用い、直方体１０２を図中のＡの方向に自動的に回転させるものである。そして、ユーザは、カーソル１０３の操作によって、複数のメニューから選択することができるというものである。このとき、視点切換マーク１０４により、視点切り替えを行うこと可能である。
【０００７】
また、複数個のメニューを操作するために、それぞれに対応する操作器具を設けた加熱調理器が、特開昭６０−２２８８２５号公報に記載されている。これについて、その概略斜視図である図１１を用いて説明する。図１１に示すように、この加熱調理器２０１は、ダイヤル形状の操作器具２０２，２０３により、液晶表示部１５に表示されるカテゴリやメニューを選択するものである。
【０００８】
【発明が解決しようとする課題】
しかしながら、上記特開平４−２１４５９５号公報に記載されたメニュー表示では、三次元表示式のメニュー自体が動くものの、例えば、操作にキーボードの右矢印キーを用いると、メニュー全体が右回転するのか、画面上のカーソルが現在のカーソルから移動してその直ぐ右側のメニュー項目を選択可能とするのか（即ちメニューが左回転するのか）、判断し難いという問題点があった。
【０００９】
また、特開昭６０−２２８８２５号公報に記載されたようなものでは、操作器具とメニュー操作部とが隣接して配置されていれば良いが、例えば操作器具がリモコンに配置され、メニュー表示部が別のディスプレイ上に表示されるように、両者が離れている場合、どの操作器具でどのメニューを操作するのかわかりにくいという問題点があった。
【００１０】
本発明は、上記のような課題を解決するためになされたものであって、メニュー表示を行う表示手段を備えた電子機器を、メニュー操作手段を有するリモコン装置により操作するメニュー操作装置において、電子機器の表示手段により表示されるメニューがリモコン装置のメニュー操作手段による操作方向と同一の方向に変化するように構成することによって、直観的なメニュー操作が可能となり、メニューの操作性を大幅に向上させることができるメニュー操作装置を提供することを目的とする。
【００１１】
【課題を解決するための手段】
前記課題を解決するために、本発明のメニュー操作装置は、方向性を示す操作用可動部材を有するリモコン装置と、メニュー表示を行う表示手段を備えた電子機器とから構成されるメニュー操作装置において、前記電子機器の表示手段により表示されるメニューが前記操作用可動部材による操作方向とほぼ同一の方向に変化するように構成している。
【００１２】
本発明のメニュー操作装置によれば、電子機器の表示手段により表示されるメニューがリモコン装置の操作用可動部材による操作方向と同一の方向に変化するように構成しているので、直観的で操作性に優れたメニュー操作を実現することが可能となる。
【００１３】
さらに、本発明のメニュー操作装置は、前記構成に加えて、リモコン装置の操作用可動部材の形状と電子機器の表示手段により表示されるメニューの形状とが同様な形状である、若しくは前記操作用可動部材と前記メニューとが同様な形状を含むこととしている。
【００１４】
前記構成によれば、リモコン装置の操作用可動部材の形状と電子機器の表示手段により表示されるメニューの形状とを同様な形状としているので、より直観的で操作性に優れたメニュー操作を実現することが可能となる。
【００１５】
また、本発明のメニュー操作装置は、前記構成に加えて、電子機器の表示手段により表示されるメニューが三次元表示式メニューであることとしている。
【００１６】
前記構成によれば、電子機器の表示手段により表示されるメニューを三次元表示式メニューとしているので、多くのメニュー項目を認識しやすいように表示することができ、これらのメニュー操作を直観的で良好に実現することが可能となる。
【００１７】
また、本発明のメニュー操作装置は、前記構成に加えて、リモコン装置の操作用可動部材がダイヤル形状であることとしている。
【００１８】
前記構成によれば、リモコン装置の操作用可動部材をダイヤル形状としているので、より直観的で操作性に優れたメニュー操作を実現することが可能となる。
【００１９】
また、本発明のメニュー操作装置は、前記構成に加えて、方向性を示す操作用可動部材が前記リモコン装置に複数備えられ、前記表示手段が、各操作用可動部材に対応した複数のメニューを表示するように構成している。
【００２０】
前記構成によれば、電子機器の表示手段により表示される複数のメニューがリモコン装置の複数の操作用可動部材による操作方向と同一の方向に変化するように構成しているので、複数のメニューについて直観的で操作性に優れたメニュー操作を実現することが可能となる。
【００２１】
また、本発明のメニュー操作装置は、前記構成に加えて、互いにほぼ直交するような配置で二つの操作用可動部材が前記リモコン装置に備えられていて、前記表示手段が、互いにほぼ直交する配置になるように二つのメニューを表示するように構成している。
【００２２】
前記構成によれば、リモコン装置の操作用可動部材と電子機器のメニューとを互いにほぼ直交する複数としているので、複数のメニューについてより直観的で操作性に優れたメニュー操作を実現することが可能となる。
【００２３】
さらに、本発明のメニュー操作装置は、前記構成に加えて、互いにほぼ平行するような配置で二つの操作用可動部材が前記リモコン装置に備えられていて、前記表示手段が、互いにほぼ平行する配置になるように二つのメニューを表示することを特徴とする。
【００２４】
また、本発明のメニュー操作装置は、前記課題を解決するために、操作用可動部材を有するリモコン装置と、選択される項目を複数含むメニューを表示する表示手段を備えた電子機器とから構成されるメニュー操作装置であって、前記選択される項目を複数含むメニュー自体が前記操作用可動部材の動作と同様の動作を示すように、前記表示手段の表示状態を制御する画面表示制御部が前記電子機器に備えられていることを特徴とする。
【００２５】
さらに、本発明のメニュー操作装置は、前記構成に加えて、前記メニューは、三次元表示式メニューであることを特徴とする。
【００２６】
また、本発明のメニュー操作装置は、前記構成に加えて、前記三次元表示式メニューの形状と前記操作用可動部材とは、同様な形状であることを特徴とする。
【００２７】
さらに、本発明のメニュー操作装置は、前記構成に加えて、前記操作用可動部材が回転可能なダイヤル形状であって、画面表示制御部は、前記選択される項目を複数含むメニュー自体が前記操作用可動部材の回転動作と同様の動作を示すように、前記表示手段の表示状態を制御することを特徴とする。
【００２８】
さらに、本発明のメニュー操作装置は、前記構成に加えて、回転軸が互いにほぼ直交する２つのダイヤル形状の操作用部材が前記リモコン装置に備えられていると共に、前記表示手段は、回転軸が互いにほぼ直交する２つのダイヤル形状の三次元表示式メニューを表示することを特徴とする。
【００２９】
【発明の実施の形態】
以下、本発明の一実施の形態について、図面を参照して説明する。図１に、本発明による実施形態のメニュー操作装置の概略構成を示す。図１に示すように、本実施形態のメニュー操作装置は、リモコン１と電子機器であるインターネット接続機能付きＴＶ２から構成される。
【００３０】
そして、リモコン１は、方向性を示して回転するダイヤル形状の可動部材から成るダイヤル操作部１１と、ダイヤル操作部１１の回転を検出する回転検出部１２と、ボタン操作により入力が行われるボタン操作部１４と、ボタン操作部１４への入力を検出する入力検出部１５と、回転検出部１２及び入力検出部１５の検出結果に基づき赤外線信号を送信する赤外線送信部１３とから構成される。
【００３１】
一方、インターネット接続機能付きＴＶ２は、リモコン１の赤外線送信部１３からの赤外線信号を受信する赤外線受信部２１と、赤外線受信部２１により受信された赤外線信号に基づいた動作を行うＣＰＵ２２と、ＣＰＵ２２の指示に応じてメニュー等の画面の表示制御を行う画面表示制御部２３と、画面表示制御部２３によりメニュー等の画面表示を行うＣＲＴ２４とから構成される。
【００３２】
図２に、本実施形態のリモコン１の外観を示す。図２に示すように、このリモコン１は、操作器具として縦ダイヤル１６と横ダイヤル１７と確定ボタン１８とが配置される。そして、縦ダイヤル１６と横ダイヤル１７とは、図１のダイヤル操作部１１を構成するもので、メニュー選択の操作を行うものであり、互いに直交になるように配置されている。また、確定ボタン１８は、図１のボタン操作部１４を構成するもので、縦ダイヤル１６及び横ダイヤル１７によるメニュー選択の結果の確定を操作するものである。
【００３３】
図３及び図４に、インターネット接続機能付きＴＶ２のＣＲＴ２４における本実施形態のメニュー画面の表示例を示す。図３及び図４に示すように、本実施形態のメニュー表示では、三次元表示式メニューである縦メニュー２５及び横メニュー２８が表示され、選択されるメニューを明示するため、それぞれに縦選択枠２６及び横選択枠２８が設けられている。そして、縦メニュー２５はリモコン１の縦ダイヤル１６の上下方向の回転操作に対応して同様に上下方向に回転し、横メニュー２７はリモコン１の横ダイヤル１７の左右方向の回転操作に対応して同様に左右方向に回転するように表示が変化するものである。
【００３４】
本実施形態の場合、縦メニュー２５にはＷＷＷ、メール、ＴＶ等のメニュー項目が表示され、縦メニュー２５により選択されたメニュー項目に応じて、横メニュー２７に表示されるメニュー項目が変更される。例えば、図３に示すように、縦メニュー２５で「メール」が選択されると、横メニュー２６にはお父さん、お母さん、太郎等のメニュー項目が表示され、これらから選択可能となり、図３では「お母さん」が選択されているときを表示している。また、図４に示すように、横メニュー２５で「ＷＷＷ」が選択されると、横メニュー２６には電子新聞、スポーツ、通信販売等のメニュー項目が表示され、これらから選択可能となり、図４では「スポーツ」が選択されているときを表示している。
【００３５】
なお、各メニュー項目の選択を決定するには、リモコン１の確定ボタン１８によりなされるものである。また、図３及び図４では図示していないが、縦メニュー２５及び横メニュー２７において、裏側に隠れているメニュー項目も、リモコン１の縦ダイヤル１６及び横ダイヤル１７の回転操作により、表示できるものである。
【００３６】
次に、本実施形態において、リモコン１によるインターネット接続機能付きＴＶ２（以下ＴＶ２と記載する）の操作の処理について、図５及び図６のフローチャートを用いて説明する。まず、利用者よるリモコン１のダイヤル操作部１１（縦ダイヤル１６，横ダイヤル１７）及びボタン操作部（確定ボタン１８）の操作に応じて、リモコン１の赤外線送信部１３から赤外線信号が発せられる。すると、ＴＶ２側では、その赤外線信号を赤外線受信部２１が受信し（Ｓ１０１）、それに基づく電気信号がＣＰＵ２２に伝達される。
【００３７】
ＣＰＵ２２では、信号の内容がダイヤル操作か否かを判別し（Ｓ１０２）、ダイヤルの操作であれば引き続きどのダイヤルの操作かを判別する（Ｓ１０３）。
【００３８】
縦ダイヤル１６の操作である場合、回転方向を判別し（Ｓ１０４）、上向き回転であれば、縦選択枠２６の下にあるメニュー項目を縦選択項目に設定する（Ｓ１０５）。ここで、縦選択項目とは、縦メニュー２５において縦選択枠２６内に表示させる項目のことを意味する。その後、ＣＰＵ２２から画面表示制御部２３に対してメニュー描画の指示が出され、画面表示制御部２３ではその指示に基づいて縦メニュー２５を上回転させる動作をＣＲＴ２４上に表示するよう制御する（Ｓ１０６）。
【００３９】
なお、ステップＳ１０４において、回転方向が下向き回転であれば縦選択枠２６の下にあるメニュー項目を縦選択項目に設定する（Ｓ１０７）。その後、ＣＰＵ２２から画面表示制御部２３に対してメニュー描画の指示が出され、画面表示制御部２３ではその指示に基づいて縦メニュー２５を下回転させる動作をＣＲＴ２４上に表示するよう制御する（Ｓ１０８）。
【００４０】
次に、ＣＰＵ２２は、新たに指定された縦選択項目がサブメニューを持つか否かを判断する（Ｓ１０９）。サブメニューを持つ場合には、次に表示する横メニュー２７として、縦選択項目に対応するメニューを用意する（Ｓ１１０）。そして、横選択枠２８内のメニュー項目をデフォルト値に設定し（Ｓ１１１）、これらの情報をＣＰＵ２２から画面表示制御部２３に渡すと共にメニュー描画の指示を出す。すると、画面表示制御部２３では、ＣＰＵ２２からの指示に基づいて、横メニュー２７をＣＲＴ２４上に表示する（Ｓ１１２）。そして、リモコン１の入力受付待ちの状態に戻る。
【００４１】
なお、ステップＳ１０９において、新たに指定された縦選択項目がサブメニューを持たない場合には、横メニュー種類を空白に設定すると共に（Ｓ１１３）、横選択枠内のメニュー項目を空白に設定し（Ｓ１１４）、ＣＰＵ２２から画像表示制御部２３にメニュー消去の指示を出す。すると、画面表示制御部２３では、ＣＰＵ２２からの指示に基づいて、横メニュー２７をＣＲＴ２４上から消去する（Ｓ１１５）。そして、リモコン１の入力受付待ちの状態に戻る。
【００４２】
また、ステップＳ１０３において、操作されたダイヤルが横ダイヤル１７である場合、縦ダイヤル１６の場合と同様に、その回転方向を判別し（Ｓ１１６）、左向き回転であれば横選択枠２８の右にあるメニュー項目を横選択項目に設定する（Ｓ１１７）。その後、ＣＰＵ２２から画面表示制御部２３に対して、メニュー描画の指示を出す。すると、画面表示制御部２３では、ＣＰＵ２２からの指示に基づいて、横メニュー２７を左回転させる動作をＣＲＴ２４上に表示する（Ｓ１１８）。そして、リモコン１の入力受付待ちの状態に戻る。
【００４３】
なお、ステップＳ１１６において、回転方向が右向き回転であれば横選択枠２８の左にあるメニュー項目を横選択項目に設定する（Ｓ１１９）。その後、ＣＰＵ２２から画面表示制御部２３に対して、メニュー描画の指示を出す。すると、画面表示制御部２３では、ＣＰＵ２２からの指示に基づいて、横メニュー２７を右回転させる動作をＣＲＴ２４上に表示する（Ｓ１２０）。そして、リモコン１の入力受付待ちの状態に戻る。
【００４４】
次に、ステップＳ１０２において、ダイヤル操作以外のリモコン１による操作を検出した場合の処理について、図６のフローチャートを用いて説明する。ステップＳ１０２において、ＣＰＵ２２がダイヤル操作以外のリモコン１による操作を検出した場合、その種類を判別する（Ｓ２０１）。
【００４５】
リモコン１の操作が確定ボタン１８の押下である場合、横選択項目に値が設定されているか否かを判断し（Ｓ２０２）、設定されていればその横選択項目の値に応じた内容の処理をＣＰＵ２２にて実行する（Ｓ２０３）。横選択項目が設定されていなければ、縦選択項目の値に応じた内容の処理をＣＰＵ２２にて実行する（Ｓ２０４）。その後、いずれの場合でも、リモコン１の入力受付待ちの状態に戻る。
【００４６】
なお、ステップＳ２０１において、リモコン１の操作がそれ以外の操作である場合、その動作が電源ＯＦＦ（切）であるか否かを判断し（Ｓ２０５）、電源ＯＦＦ以外の操作であればそれぞれに応じた内容の処理をＣＰＵ２２にて実行し（Ｓ２０６）、その後リモコン１の入力受付待ちの状態に戻る。ステップＳ２０５において、電源ＯＦＦである場合には、電源ＯＦＦに関わる処理をＣＰＵ２２にて実行した上、ＴＶ２の電源を切る（Ｓ２０７）。
【００４７】
なお、上記実施形態では、縦メニューの操作に伴い横メニューが連動して変更される場合について説明したが、これに限定されるものではなく、縦メニューと横メニューとを独立したメニューとしてもよいものである。
【００４８】
また、上記実施形態では、縦方向に可動の部材（縦ダイヤル）及び横方向に可動の部材（横ダイヤル）とそれぞれに対応したメニューとを同様な形状の相似形状としたが、これに限定されるものではなく、異なる形状としても良い。
【００４９】
さらに、上記実施形態では、二種類の可動部材（ダイヤル）及び二種類のメニューを互いに直交するように配置したが、これに限定されるものではなく、例えばこれらを互いに平行に配置したり、一組として用いても良いものである。
【００５０】
また、リモコン装置の操作用可動部材は、上記実施形態のようなダイヤルに限定されるものでは、方向性を示すことができるものであれば良い。その一例として、図７（ａ）に示すようにリモコン装置に球形のトラックボールを用いて、図７（ｂ）に示すように電子機器側では球形三次元表示式メニュー３１を表示するように構成しても良い。これ以外にも、図８（ａ）に示すようにリモコン装置にスライドして可動するスライドバー４０を用いて、図８（ｂ）に示すように電子機器側ではそれ同方向に移動するような横目盛４１のメニューを表示するように構成しても良い。また、図９（ａ）に示すようにリモコン装置にジョイスティック５０を用いて、図９（ｂ）に示すように電子機器側ではそれ同方向に移動するような横目盛５１のメニューを表示するように構成しても良い。
【００５１】
【発明の効果】
以上説明したように、本発明のメニュー操作装置は、電子機器の表示手段により表示されるメニューがリモコン装置の操作用可動部材による操作方向と同一の方向に変化するように構成しているので、直観的で操作性に優れたメニュー操作を実現することが可能となる。
【００５２】
さらに、本発明のメニュー操作装置は、前記構成に加えて、リモコン装置の操作用可動部材の形状と電子機器の表示手段により表示されるメニューの形状とを相似形状としているので、より直観的で操作性に優れたメニュー操作を実現することが可能となる。
【００５３】
また、本発明のメニュー操作装置は、前記構成に加えて、電子機器の表示手段により表示されるメニューを三次元表示式メニューとしているので、多くのメニュー項目を認識しやすいように表示することができ、これらのメニュー操作を直観的で良好に実現することが可能となる。
【００５４】
さらに、本発明のメニュー操作装置は、前記構成に加えて、リモコン装置の操作用可動部材をダイヤル形状としているので、より直観的で操作性に優れたメニュー操作を実現することが可能となる。
【００５５】
また、本発明のメニュー操作装置は、前記構成に加えて、電子機器の表示手段により表示される複数のメニューがリモコン装置の複数の操作用可動部材による操作方向と同一の方向に変化するように構成しているので、複数のメニューについて直観的で操作性に優れたメニュー操作を実現することが可能となる。
【００５６】
さらに、本発明のメニュー操作装置は、前記構成に加えて、互いにほぼ直交するような配置で二つの操作用可動部材が前記リモコン装置に備えられていて、前記表示手段が、互いにほぼ直交する配置になるように二つのメニューを表示するように構成しているので、複数のメニューについてより直観的で操作性に優れたメニュー操作を実現することが可能となる。
【００５７】
すなわち、本発明によれば、リモコン装置に操作用可動部材を構成し、該操作用可動部材と電子機器に表示されるメニューとの動作方向を一致させるようにしているので、ユーザがリモコン装置とメニューとを見比べたときに、どのリモコン装置の操作用可動部材により、電子機器のどのメニューを操作できるか、容易に認識することができる。
【００５８】
さらに、本発明によれば、三次元表示式メニューのようなメニュー自体が動くものを操作する際に、リモコン装置の操作用可動部材と電子機器のメニューとの対応付けが容易となるので、操作用可動部材を動かすと選択位置にあるメニュー項目が移動するのではなく、メニュー全体が動くことをユーザが直観的に理解することができる。
【図面の簡単な説明】
【図１】本発明の実施形態のメニュー操作装置の概略構成を示すブロック図である。
【図２】実施形態のリモコンの外観を示す斜視図である。
【図３】実施形態のインターネット接続機能付きＴＶのメニュー画面の表示例を示す図である。
【図４】実施形態のインターネット接続機能付きＴＶのメニュー画面の表示例を示す図である。
【図５】実施形態においてリモコンのダイヤル操作によるインターネット接続機能付きＴＶの操作の処理を説明するためのフローチャートである。
【図６】実施形態においてリモコンの確定ボタン操作によるインターネット接続機能付きＴＶの操作の処理を説明するためのフローチャートである。
【図７】他の実施形態のリモコン装置の外観と電子機器の表示例を示す図である。
【図８】他の実施形態のリモコン装置の外観と電子機器の表示例を示す図である。
【図９】他の実施形態のリモコン装置の外観と電子機器の表示例を示す図である。
【図１０】従来の三次元表示式メニュー表示を示す斜視図である。
【図１１】従来の加熱調理器の操作部を示す斜視図である。
【符号の説明】
１  リモコン
２  インターネット接続機能付きＴＶ
１１  ダイヤル操作部
１２  回転検出部
１３  赤外線送信部
１４  ボタン操作部
１５  入力検出部
１６，１７  ダイヤル
１８  確定ボタン
２１  赤外線受信部
２２  ＣＰＵ
２３  画面表示制御部
２４  ＣＲＴ
２５，２７，３１，４１，５１  メニュー
３０  トラックボール
３１  球形三次元表示式メニュー
４０  スライドバー
５０  ジョイスティック